(57)【要約】【課題】各種印刷プロセスの各設定パラメータを簡単に設定することができ、各種印刷プロセスの各設定パラメータ値を認識できるようにする。【解決手段】本発明に係る画像形成装置は、画像形成部と、複数の画像形成プロセスのそれぞれの設定パラメータ値の設定可能範囲内で、各設定パラメータ値を変更していき、それぞれ異なる設定パラメータ値の組み合わせを調整する設定パラメータ調整部と、設定パラメータ調整部により設定された各設定パラメータ値の組み合わせ情報を含むテスト用データを作成するテスト用データ作成部と、設定パラメータ設定部により調整された複数の設定パラメータ値の組み合わせを画像形成部に順次設定して、各テスト用データに基づく画像を媒体に連続出力させる印刷制御部とを備えることを特徴とする。【選択図】      図１
2016085367.tif 000002
【特許請求の範囲】
【請求項１】
画像形成部と、
複数の画像形成プロセスのそれぞれの設定パラメータ値の設定可能範囲内で、前記各設定パラメータ値を変更していき、それぞれ異なる前記設定パラメータ値の組み合わせを調整する設定パラメータ調整部と、
前記設定パラメータ調整部により設定された前記各設定パラメータ値の組み合わせ情報を含むテスト用データを作成するテスト用データ作成部と、
前記設定パラメータ設定部により調整された複数の前記設定パラメータ値の組み合わせを前記画像形成部に順次設定して、前記各テスト用データに基づく画像を媒体に連続出力させる印刷制御部と
を備えることを特徴とする画像形成装置。
【請求項２】
予め設定された、前記各設定パラメータの設定範囲を推奨範囲として記憶する記憶部を有し、
前記設定パラメータ調整部が、前記各設定パラメータの推奨範囲内で、前記各設定パラメータ値を変更していき、それぞれ異なる前記設定パラメータ値の組み合わせを調整する
ことを特徴とする請求項１に記載の画像形成装置。
【請求項３】
前記設定パラメータ調整部が、指定された前記各設定パラメータの設定範囲内で、前記各設定パラメータ値を変更していき、それぞれ異なる前記設定パラメータ値の組み合わせを調整することを特徴とする請求項１に記載の画像形成装置。
【請求項４】
前記各テスト用データが、前記各設定パラメータ値の組み合わせを特定する特定情報を含み、
指定された前記特定情報と、当該テスト用データに基づく画像形成プロセスの前記各設定パラメータ値の組み合わせとを対応付けて記憶する設定パラメータ記憶部を備えることを特徴とする請求項１〜３のいずれかに記載の画像形成装置。
【請求項５】
前記特定情報を取得する特定情報取得部と、
前記設定パラメータ記憶部を参照して、前記特定情報取得部により取得された前記特定情報に対応する前記各設定パラメータ値の組み合わせを検索する検索部と、
前記検索部により検索された前記設定パラメータ値の組み合わせを前記画像形成部に設定して、画像形成データに基づく画像を媒体に印刷させる印刷制御部と
を備えることを特徴とする請求項４に記載の画像形成装置。
【請求項６】
前記特定情報が、文字列を含むものであることを特徴とする請求項４又は５に記載の画像形成装置。
【請求項７】
前記特定情報が、一次元コード又は二次元コードを含むものであることを特徴とする請求項４〜６のいずれかに記載の画像形成装置。
【請求項８】
設定パラメータ調整部が、複数の画像形成プロセスのそれぞれの設定パラメータ値の設定可能範囲内で、前記各設定パラメータ値を変更していき、それぞれ異なる前記設定パラメータ値の組み合わせを調整し、
テスト用データ作成部が、前記設定パラメータ調整部により設定された前記各設定パラメータ値の組み合わせ情報を含むテスト用データを作成し、
印刷制御部が、前記設定パラメータ設定部により調整された複数の前記設定パラメータ値の組み合わせを画像形成部に順次設定して、前記各テスト用データに基づく画像を媒体に連続出力させる
ことを特徴とする画像形成方法。
【発明の詳細な説明】
【技術分野】
【０００１】
本発明は、画像形成装置及び画像形成方法に関し、例えば、ラベル紙等の特殊媒体に画像を印刷することができる画像形成装置及び画像形成方法に適用し得るものである。
【背景技術】
【０００２】
例えば、ノンインパクトプリンタの一種として電子写真方式を採用したものがある。電子写真方式は、一様に帯電させた感光体の表面を露光して静電潜像を形成し、その静電潜像に現像剤を移して現像剤像を形成し、現像剤像を印刷媒体に転写して定着させる方式である。
【０００３】
前記電子写真方式を採用したプリンタは、通常、印刷媒体として普通紙を使用する。そのため、プリンタは、普通紙に印刷するための印刷速度設定、露光設定、現像設定、転写設定、定着設定、その他各種印刷プロセス毎に設定パラメータ値が設定されている。
【０００４】
ところで、電子写真方式を採用したプリンタを用いて、例えば、ウレタンやポリプロピレン樹脂やポリエチレンテレフタラート（ＰＥＴ）等の樹脂を含む媒体に印刷する場合がある。このように普通紙以外の材質の媒体に印刷する場合、予め設定されている印刷プロセスの設定で印刷を行うと、例えば、画質の低下や、定着不良の発生や、使用した媒体が伸縮したり溶けたりすることが生じ得る。
【０００５】
そのため、前記のような特殊媒体に印刷する場合には、ユーザによる各種印刷プロセスの各設定パラメータ値の変更が必要となる。特許文献１の記載技術は、定着温度を確定するために、テスト印刷を実行するものが記載されている。
【先行技術文献】
【特許文献】
【０００６】
【特許文献１】特開平１０−２６８６９６号公報
【発明の概要】
【発明が解決しようとする課題】
【０００７】
しかしながら、特殊媒体に印刷する場合には、ユーザがアプリケーションを用いて、各種印刷プロセスの各設定パラメータ値を変更しながら、１枚１枚印刷を試してみて、印刷媒体に適した各印刷プロセスの印刷パラメータ値を決定することが必要となる。そうすると、印刷回数が多くなり、ユーザの作業時間が長くなり、また作業の手間が掛かってしまう。また、過去に印刷したものがどのような設定で印刷したか覚えておく必要があり、後で同じ設定で印刷しようとするときに、その印刷時の設定が分からなくなるという問題が生じ得る。
【０００８】
そのため、各種印刷プロセスの各設定パラメータを簡単に設定することができ、各種印刷プロセスの各設定パラメータ値を認識できるようにしておくことができる画像形成装置及び画像形成方法が求められている。
【課題を解決するための手段】
【０００９】
かかる課題を解決するために、本発明に係る画像形成装置は、（１）画像形成部と、（２）複数の画像形成プロセスのそれぞれの設定パラメータ値の設定可能範囲内で、各設定パラメータ値を変更していき、それぞれ異なる設定パラメータ値の組み合わせを調整する設定パラメータ調整部と、（３）設定パラメータ調整部により設定された各設定パラメータ値の組み合わせ情報を含むテスト用データを作成するテスト用データ作成部と、（４）設定パラメータ設定部により調整された複数の設定パラメータ値の組み合わせを画像形成部に順次設定して、各テスト用データに基づく画像を媒体に連続出力させる印刷制御部とを備えることを特徴とする。
【００１０】
第２の本発明に係る画像形成方法は、（１）設定パラメータ調整部が、複数の画像形成プロセスのそれぞれの設定パラメータ値の設定可能範囲内で、各設定パラメータ値を変更していき、それぞれ異なる設定パラメータ値の組み合わせを調整し、（２）テスト用データ作成部が、設定パラメータ調整部により設定された各設定パラメータ値の組み合わせ情報を含むテスト用データを作成し、（３）印刷制御部が、設定パラメータ設定部により調整された複数の設定パラメータ値の組み合わせを画像形成部に順次設定して、各テスト用データに基づく画像を媒体に連続出力させることを特徴とする。
【発明の効果】
【００１１】
本発明によれば、各種画像形成プロセスの各設定パラメータを簡単に設定することができ、各種画像形成プロセスの各設定パラメータ値を認識できるようにしておくことができる。
【図面の簡単な説明】
【００１２】
【図１】実施形態に係る画像形成装置の内部構成を示す内部構成図である。
【図２】実施形態に係るテスト印刷パターンの構成を示す構成図である。
【図３】実施形態に係る画像形成装置における一括印刷機能の処理を示すフローチャートである（その１）。
【図４】実施形態に係る画像形成装置における一括印刷機能の処理を示すフローチャートである（その２）。
【図５】実施形態に係る画像形成装置におけるカスタムメディアを用いた印刷処理を示すフローチャートである。
【図６】変形実施形態に係るテスト印刷パターンの構成を示す構成図である。
【図７】実施形態に係る制御部の主な機能部を示すブロック図である。
【発明を実施するための形態】
【００１３】
（Ａ）主たる実施形態
以下では、本発明に係る画像形成装置及び画像形成方法の主たる実施形態を、図面を参照しながら詳細に説明する。
【００１４】
この実施形態では、例えば電子写真方式を採用したプリンタに本発明を適用する場合を例示する。また、本発明に係る画像形成装置は、普通紙以外の印刷媒体に画像を印刷する場合を例示する。普通紙以外の印刷媒体は、例えば、ウレタンやポリプロピレンやＰＥＴ等の合成樹脂を含む種々の特殊媒体を広く適用することができるが、この実施形態では、接着剤や剥離剤等を含むラベル紙に印刷する場合を例示する。
【００１５】
（Ａ−１）実施形態の構成
図１は、実施形態に係る画像形成装置の内部構成を示す内部構成図である。図１において、実施形態に係る画像形成装置１は、制御部１０、受信部１１、コマンド解析部１２、印刷データ作成部１３、印刷部１４、テストデータ作成部１５、カスタムメディア記憶部１６、操作パネル１７、コードリーダ１８を有する。
【００１６】
画像形成装置１は、例えば、接続している外部装置（例えばパーソナルコンピュータ等）から入力されたデータに基づいて印刷データを作成し、その印刷データに基づく画像を印刷媒体に形成するものである。この実施形態では、画像形成装置１が、ラベル紙等の特殊媒体を印刷媒体とする場合を例示する。特殊媒体は、例えばラベル紙のように、ロール状に巻回された連続紙を用いる場合を例示する。また、画像形成装置１は、特殊媒体であるラベル紙に、各種印刷プロセスの各設定値を所定範囲内で１つずつ変えて、複数のテスト印刷パターンを連続印刷（テスト印刷）する。
【００１７】
制御部１０は、画像形成装置１の各種機能の処理を司るものである。制御部１０は、例えば、ＣＰＵ、ＲＯＭ、ＲＡＭ、入出力インターフェース部等を有して構成されており、ＣＰＵがＲＯＭに格納されている処理プログラムを実行することにより、画像形成装置１の各種機能を実行することができる。
【００１８】
図７は、実施形態に係る制御部１０の主な機能部を示すブロック図である。図7において、実施形態に係る制御部１０の主な機能部は、一括印刷制御部１１０、カスタムメディア印刷制御部１２０を有する。
【００１９】
一括印刷制御部１１０は、複数種類の画像形成プロセス（以下、印刷プロセスとも呼ぶ。）の設定パラメータ値（以下、設定値とも呼ぶ。）を変えて印刷品質を確認する際に、各種印刷プロセスの設定値を所定の範囲内で変更させて、全ての設定値の組み合わせで一度にテスト印刷するものである。
【００２０】
ここで、一括印刷機能とは、各種印刷プロセスの各設定値を所定範囲内で変更させながら、各種印刷プロセスの設定値の組み合わせを変更し、全ての設定値の組み合わせのテスト印刷パターンを一括して連続印刷する機能である。
【００２１】
また、各種印刷プロセスとは、画像形成装置１における画像形成を実行するために必要な工程であり、例えば、印刷速度決定工程、露光工程、現像工程、転写工程、定着工程等を含むものである。
【００２２】
さらに、各種印刷プロセスの設定パラメータとは、それぞれの印刷プロセスの実行動作を決定するものであり、印刷プロセス毎に設けられているものである。例えば、印刷速度決定工程の設定パラメータは印刷速度等を含むものとすることができ、露光工程の設定パラメータは感光体への露光時間や露光面積等を含むものとすることができ、現像工程の設定パラメータは濃度や色合い等を含むものとすることができ、定着工程の設定パラメータは定着温度等を含むものとすることができる。
【００２３】
図７に示すように、一括印刷制御部１１０は、設定範囲確定部１１１、設定パラメータ調整部１１２、特定情報作成部１１３、印刷制御部１１４、設定パラメータ登録部１１５を有する。
【００２４】
設定範囲確定部１１１は、一括印刷機能を行なう際、各種印刷プロセスの各設定値を変化させるため、各設定値の設定範囲を設定値毎に確定させるものである。
【００２５】
ここで、各種印刷プロセスの各設定値を変化させる範囲は、例えば、予め設定されたメーカーの推奨範囲としても良いし、ユーザによって指定された指定範囲としても良い。例えば、設定範囲確定部１１１は、各設定値をメーカー推奨範囲で変化させる推奨モードか又はユーザ操作によりユーザ指定範囲を指定するユーザ指定モードかを選択できるようにしても良い。
【００２６】
設定パラメータ調整部１１２は、各種印刷プロセスの設定パラメータの設定値を、各設定パラメータの設定範囲内で変更させていく。設定パラメータ調整部１１２は、全ての設定値について設定範囲内で変えていく。そして、設定パラメータ調整部１１２は、全ての各設定値の組み合わせを作成するものである。
【００２７】
また、設定パラメータ調整部１１２は、ユーザ指定モードにより各設定値をユーザ指定範囲で変化させるときには、操作パネル１７を通じて、設定値毎のユーザ指定範囲の指定を受けるようにしても良い。例えば、制御部１０は、各種印刷プロセスの設定項目と、各設定項目の変化範囲の指定を受け付ける表示画面を操作パネル１７に表示し、それぞれの設定項目の設定値を変更させるユーザ指定範囲を、各設定項目毎に指定できるようにする方法を適用できる。
【００２８】
特定情報作成部１１３は、各種印刷プロセスの設定値の組み合わせを特定するための特定情報を作成するものである。ここで、特定情報は、各設定値の組み合わせを識別することができれば、種々のものを適用することができる。例えば、特定情報は、文字列（アルファベット、数字等を含む）の媒体設定コードとしても良いし、媒体設定コードの情報を含む一次元コード（例えば、バーコード等）や二次元コードとしても良い。この実施形態では、特定情報が、媒体設定コードと一次元コードとを含むものとするが、媒体設定コードと一次元コード等のいずれかであっても良い。
【００２９】
印刷制御部１１４は、一括印刷機能に係るテスト印刷を制御するものである。印刷制御部１１４は、全ての設定パラメータの設定値の組み合わせを、印刷部１４に順次設定し、各設定パラメータの設定値の組み合わせで、テスト印刷データに基づく画像を媒体に印刷させるものである。
【００３０】
設定パラメータ登録部１１５は、各種印刷プロセスの設定値を変化させたテスト印刷の中で、ユーザにより指定された設定内容（すなわち、各設定パラメータの設定値の組み合わせを含む情報）をカスタムメディアとして、カスタムメディア記憶部１６に記憶するものである。例えば、設定パラメータ登録部１１５は、媒体設定コードをキーとして、各種印刷プロセスの設定値の組み合わせを対応付けてカスタムメディア記憶部１６に記憶する。これにより、テスト印刷後に、当該テスト印刷と同じ設定内容で印刷するような場合に、媒体設定コードを指定することで、対応するカスタムメディアとして登録されている設定内容で印刷することができる。
【００３１】
図７において、カスタムメディア印刷制御部１２０は、取得した特定情報に基づいて、対応するカスタムメディアをカスタムメディア記憶部１６から検索し、その検索したカスタムディアの各設定値の組み合わせを印刷部１４に設定して印刷させるものである。
【００３２】
図７に示すように、カスタムメディア印刷制御部１２０は、特定情報取得部１２１、検索部１２２、設定パラメータ設定部１２３、印刷制御部１２４を有する。
【００３３】
特定情報取得部１２１は、例えば、操作パネル１７やコードリーダ１８を通じて、テスト印刷パターンに付与されている特定情報としての媒体設定コードやバーコードによる読み取り情報を取得するものである。
【００３４】
検索部１２２は、カスタムメディア記憶部１６を参照して、特定情報取得部１２１により取得された特定情報に対応するカスタムメディアを検索するものである。
【００３５】
設定パラメータ設定部１２３は、検索部１２２により検索されたカスタムメディアとして含まれている各設定パラメータの設定値の組み合わせを印刷部１４に設定するものである。
【００３６】
印刷制御部１２４は、カスタムメディアに含まれている各設定パラメータの設定値の組み合わせで、受信したデータに基づく画像を媒体に印刷させるものである。
【００３７】
受信部１１は、例えばパーソナルコンピュータ等の外部装置と接続されており、外部装置からデータを取得するものである。受信部１１は、取得したデータを、制御部１０、コマンド解析部１２、印刷データ作成部１３、印刷部１４に与える。
【００３８】
テストデータ作成部１５は、制御部１０の制御の下、ローカルテスト印刷等の装置動作を確認するためのテスト印刷データを作成するものである。テストデータ作成部１５は、制御部１０の特定情報作成部１１３から特定情報を取得し、その取得した特定情報を含むテスト印刷データを作成する。
【００３９】
ここで、テスト印刷データは、例えば、文字や図形などの印刷品位確認用のデータと、各種印刷プロセスの各設定値に関する設定内容、当該設定内容を特定する媒体設定コードやバーコード等の一次元コードを含むものである。
【００４０】
コマンド解析部１２は、制御部１０の制御の下、受信部１１により取得されたデータやテストデータ作成部１５からのテスト印刷データのコマンド解析を行うものである。コマンド解析部１２は、テストデータ作成部１５から各種印刷プロセスの設定値で得られたテスト印刷データをコマンド解析して、印刷データ作成部１３に与える。
【００４１】
印刷データ作成部１３は、制御部１０の制御の下、受信部１１により取得されたデータに基づいて、印刷データを作成するものである。印刷データ作成部１３は、コマンド解析部１２によりコマンド解析結果に基づいて印刷データを作成するものである。
【００４２】
印刷部１４は、制御部１０の制御の下、印刷データ作成部１３により作成された印刷データに基づく画像を印刷媒体に印刷するものである。
【００４３】
カスタムメディア記憶部１６は、印刷部１４の印刷実行時における各種印刷プロセスで使用する各設定値の組み合わせを、カスタムメディアとして記憶するものである。カスタムメディアとは、テスト印刷として出力された複数のテスト印刷パターンのうち、ユーザにより選択されたテスト印刷パターンの各種印刷プロセスの設定値の組み合わせであり、媒体設定コードと対応付けられている。カスタムメディア記憶部１６は、制御部１０から媒体設定コードを含むカスタムメディア取得要求が与えられると、当該媒体設定コードに対応するカスタムメディアを印刷部１４に通知する。
【００４４】
操作パネル１７は、ユーザによる操作入力を受け付ける入力部（例えば、スイッチや操作ボタン等）と、画像形成装置１の現在の動作状況やメニュー設定画面等を表示する表示部とを有するものである。
【００４５】
コードリーダ１８は、テスト印刷されたテスト印刷パターンに付されたコードを読み取り、その読み取った情報を制御部１０に与えるものである。
【００４６】
図２は、この実施形態に係るテスト印刷パターンの構成を示す構成図である。図２に示すように、例えばラベル紙等の特殊媒体２０は連続紙である。この実施形態では、特殊媒体２０がラベル紙としている場合を例示している。制御部１０は、ラベル毎にテスト印刷パターンを印刷可能なように位置調整機能（頭出し印刷機能）を有しており、各ラベルにテスト印刷パターン２０−１、２０−２、…を印刷する。
【００４７】
図２において、各テスト印刷パターン２０−１は、文字や画像等のイメージを含む印刷品位確認用データ２０１、印刷品位確認用データ２０１の印刷時の設定パラメータ値２０２、各設定パラメータ値の組み合わせを特定する媒体設定コード２０３、媒体設定コード２０３の情報を含むバーコード２０４を有する。
【００４８】
（Ａ−２）実施形態の動作
次に、実施形態に係る画像形成装置１における処理動作を、図面を参照しながら詳細に説明する。
【００４９】
まず、実施形態に係る画像形成装置１における画像形成処理の概略動作を、図１を用いて説明する。
【００５０】
外部装置からのデータが受信部１１により取得されると、データがコマンド解析部１２に与えられる。コマンド解析部１２は受信データを読み出してコマンド解析して印刷データ作成部１３に与える。印刷データ作成部１３は、受信データを編集して印刷データを作成し、印刷データを印刷部１４に与える。
【００５１】
印刷部１４は、印刷データ作成部１３により作成された印刷データを読み出して、指示された印刷プロセスの設定値を設定して、媒体に画像を印刷する。
【００５２】
このとき、印刷部１４は、カスタムメディア記憶部１６に記憶されているカスタムメディアを読み出して、カスタムメディアで設定されている設定値をセットして印刷を実施するようにしても良い。
【００５３】
具体的には、制御部１０は、操作パネル１７又はコードリーダ１８から取得した媒体設定コードを用いて、カスタムメディア記憶部１６を検索する。そして、制御部１０は、検索した媒体設定コードに対応付けられている各種印刷プロセスの設定値を読み出し、各設定値をセットして印刷する。これにより、カスタムメディアで設定されている設定値をセットして印刷を実施することができる。
【００５４】
また、テストデータ生成部１５は、操作パネル１７を通じてユーザによりテスト印刷機能が選択されたとき、又は、外部装置を通じて一括印刷機能が選択されたときに、制御部１０の制御を受けて、テスト印刷データを作成し、そのテスト印刷データをコマンド解析部１２に与える。
【００５５】
テストデータ生成部１５がテスト印刷データを作成した場合も、コマンド解析部１２はテストデータ生成部１５により生成されたテスト印刷データを解析して、印刷データ作成部１３が印刷データを作成する。そして、印刷部１４が、各種印刷プロセスの設定値で、テスト印刷パターンをテスト印刷する。
【００５６】
次に、実施形態に係る画像形成装置１における一括印刷機能の処理を、図面を参照しながら詳細に説明する。
【００５７】
図３及び図４は、実施形態に係る画像形成装置１における一括印刷機能の処理を示すフローチャートである。
【００５８】
まず、ユーザにより印刷媒体が画像形成装置１にセットされる。ここでは、特殊媒体としてのラベル紙が画像形成装置１にセットされるものとする（Ｓ１０１）。
【００５９】
制御部１０は、操作パネル１７の表示部に印刷プロセス設定画面を表示させる（Ｓ１０２）。このとき、印刷プロセス設定画面には、例えば、ユーザの手動により各種印刷プロセスの設定値を設定できる手動モードの選択ボタンや、一括印刷機能により各種印刷プロセスの設定値を自動的に変更させて、全てのテスト印刷パターンを一括して印刷する一括印刷機能モード等の選択ボタンが含まれており、ユーザにより選択されることで動作モードを切り替えることができる。
【００６０】
ここでは、操作パネル１７上に表示されている印刷プロセス設定画面において、一括印刷機能が選択されるものとする（Ｓ１０３）。
【００６１】
次に、制御部１０は、操作パネル１７の表示部に、各種印刷プロセスの各設定値の範囲を選択する画面を表示させる（Ｓ１０４）。例えば、予め設定されているメーカー推奨範囲を選択する選択ボタンや、各種印刷プロセスの各設定値をユーザが手動で設定する選択ボタン等が含まれる画面が表示されており、ユーザの選択によりメーカー推奨範囲又はユーザ指定範囲を選択できる。
【００６２】
Ｓ１０５において、ユーザ操作によりメーカー推奨範囲が選択されたときには、処理はＳ１０７に移行する。
【００６３】
一方、メーカー推奨範囲が選択されてないときには、処理はＳ１０６に移行し、ユーザ操作により各印刷プロセスの設定値の指定範囲が入力される（Ｓ１０６）。例えば、「−５」、…「−１」、「０」、「＋１」…「＋５」等の数値に印刷速度等を対応付けておき、数値を一段階ずつ度数の選択により指定範囲を選択できるようにしても良い。
【００６４】
このとき、制御部１０は、操作パネル１７の表示部に、各種印刷プロセスの設定項目をリスト表示し、各設定項目の設定値の指定範囲を設定する画面を表示させて、それぞれの設定値を変化させる指定範囲の入力を受け付ける。例えば、制御部１０は、各種印刷プロセスの各設定値のメーカー推奨範囲を、操作パネル１７の表示部に表示するようにしてもよい。各設定値のメーカー推奨範囲を表示することで、各設定値を変更させる範囲を１つの目安として示すことができるため、メーカー推奨範囲を基準に各設定値の範囲の変更を指定することができる。
【００６５】
なお、各種印刷プロセスの各設定値のメーカー推奨範囲は、予め設定されているものであっても良いし、又は、印刷媒体の種類に応じて設定されているものであっても良い。そのため、印刷媒体の種類に応じて、各種印刷プロセスの各設定値のメーカー推奨範囲が設定されている場合には、Ｓ１０４及びＳ１０５で、制御部１０が印刷媒体の種類を入力できる画面を操作パネル１７に表示して、印刷媒体の種類を受け付けるようにしても良い。
【００６６】
ユーザ操作により印刷開始ボタンが選択されると（Ｓ１０７）、制御部１０は、各種印刷プロセスの設定値を変化させる範囲がメーカー推奨範囲か、又は、ユーザ指定範囲かを判断する（Ｓ１０８）。
【００６７】
Ｓ１０８において、各種印刷プロセスの設定値を変化させる範囲がメーカー推奨範囲でない場合、処理はＳ１１０に移行する。つまり、ユーザにより指定された範囲を、各種印刷プロセスの各設定値の指定範囲として設定する。
【００６８】
一方、各種印刷プロセスの設定値を変化させる範囲がメーカー推奨範囲である場合、処理はＳ１０９に移行して、メーカー推奨範囲を、各種印刷プロセスの設定値の指定範囲として設定する。
【００６９】
制御部２８は、テストデータ作成部１５に対して、各種印刷プロセスの各設定値の指定範囲を与えてテスト印刷を要求する（Ｓ１１０）。
【００７０】
テストデータ作成部１５は、各種印刷プロセスの設定値のうち、ある種類の設定値を１つずつ指定範囲内の値に変更し、各設定値の組み合わせのテストデータを作成する（Ｓ１１１）。
【００７１】
このとき、制御部１０は、設定値の組み合わせに対して媒体設定コードを発行し、この媒体設定コードに設定値の組み合わせを対応付けて一時的に記憶しておく。また、テストデータ作成部１５は、文字や画像等の印刷品位確認用データと、各設定値の組み合わせを示す設定内容、各設定値の組み合わせに対して付与した媒体設定コード、媒体設定コードの情報を含むバーコードを含む情報をテスト印刷データとして作成する。
【００７２】
そして、テストデータ作成部１５は、そのテストデータをコマンド解析部１２に与えてコマンド解析させて、印刷データ作成部１３に与える。印刷データ作成部１３は、コマンド解析部１２からのデータに基づいて印刷データを編集して印刷データを作成する。そして、印刷部１４が印刷データに基づいてテスト印刷を行う（Ｓ１１２）。
【００７３】
ここで、Ｓ１１１及びＳ１１２では、各種印刷プロセスの設定値を、所定の順番で、１つずつ指定範囲内で変更して、当該指定範囲内で設定値の変更が終了するまで繰り返す（Ｓ１１３）。また、全ての設定値の組み合わせのテスト印刷データが作成及び印刷されるまで繰り返し行われる（Ｓ１１４）。
【００７４】
ここで、制御部１０は、各種印刷プロセスの設定値の指定範囲内での変更について、所定の順序で変更するようにしても良い。
【００７５】
例えば、「印刷速度」、「濃度」、「定着温度」等の設定値を変更する際、「定着温度」は、定着器の温度を一度高くしてしまうと、定着器の温度を低くするためには時間が掛かってしまう。そこで、「定着温度」については、他のパラメータの値よりも優先度を低くして変更することが望まれる。
【００７６】
また、「印刷速度」は、例えばラベル紙を印刷媒体とする場合、印刷速度が遅いときには、定着器における定着時間が長くなるため、印刷媒体の伸縮や印刷媒体を溶かしてしまったりすることなどの影響を与え得る。従って、溶融しやすい印刷媒体を使用するときには、印刷速度を早くすることが望まれる。そこで、複数種類の印刷プロセスの設定パラメータのうち、印刷速度の設定値を最優先で調整するようにしても良い。
【００７７】
そこで、例えば、Ｓ１１３で示すループ２において、制御部１０は、ある定着温度及びある濃度で、印刷速度の指定範囲内で、印刷速度の設定値を変更していき、印刷速度の設定値の変更が終了するまで、複数のテスト印刷パターンを印刷する。次に、制御部１０は、定着温度をそのままに保持して、濃度を１段階変更し、印刷速度の指定範囲内で、印刷速度の設定値を変更していき、印刷速度の設定値の変更が終了するまで、テスト印刷パターンを印刷していく。その後、制御部１０は、濃度の指定範囲内で濃度の設定値の変更が終了した後、定着温度の変更を行うようにしても良い。つまり、制御部１０は、「印刷速度」、「濃度」、「定着温度」の順に設定値を変更させるようにしても良い。
【００７８】
また例えば、Ｓ１１３で示すループ２において、制御部１０は、ある定着温度及びある印刷速度で、濃度の指定範囲内で、濃度の設定値を変更していき、濃度の設定値の変更が終了するまで、複数のテスト印刷パターンを印刷する。次に、制御部１０は、定着温度の設定値を保持したまま、印刷速度の設定値を１段階変更し、濃度の指定範囲内で、濃度の設定値を変更していき、濃度の設定値の変更が終了するまでテスト印刷パターンを印刷していく。その後、制御部１０は、印刷速度の指定範囲内で印刷速度の設定値の変更が終了した後、定着温度の変更を行うようにしても良い。つまり、制御部１０は、「濃度」、「印刷速度」、「定着温度」の順に設定値を変更させるようにしても良い。
【００７９】
全ての設定値の組み合わせのテスト印刷パターンが印刷されると、制御部１０は、操作パネル１７の表示部に印刷プロセス設定画面を表示する（Ｓ１１５）。このとき、印刷プロセス設定画面には、設定値の指定範囲を変更して、別の設定値でテスト印刷を続行するか否かの選択ボタンを含むようにしても良い。
【００８０】
そして、ユーザは、全ての設定値の組み合わせでテスト印刷された全てのテスト印刷パターン（印刷結果）を見て、印刷媒体に適したものがあるか否かを判断する。印刷媒体に適したものが無い場合、ユーザ操作によりテスト印刷を続行するボタンが選択されて、処理はＳ１０２に戻って、指定範囲の指定を変えて処理を続行させることができる。
【００８１】
一方、印刷媒体に適したものがある場合、ユーザは印刷媒体に適したテスト印刷パターンをカスタムメディアとして登録するために、ユーザによりテスト印刷パターンに付されている媒体設定コードがコードリーダ１８により入力されたり又は操作パネル１７の入力等により選択される（Ｓ１１７）。制御部１０は、選択された当該媒体設定コード及び当該媒体設定コードに対応付けられている設定値の組み合わせを含むデータをカスタムメディアとして作成し（Ｓ１１８）、このカスタムメディアをカスタムメディア記憶部１６に登録する（Ｓ１１９）。
【００８２】
図５は、実施形態に係る画像形成装置１におけるカスタムメディアを用いた印刷処理を示すフローチャートである。
【００８３】
まず、画像形成装置１において、ユーザ操作によりテスト印刷パターンに付与された媒体設定コードが入力される（Ｓ２０１）。媒体設定コードの入力方法は、例えば、操作パネル１７において、ユーザにより媒体設定コードが入力されるようにしても良いし、また例えば、テスト印刷パターンに付与されたバーコードをコードリーダ１８で読み取らせるようにしても良い。
【００８４】
制御部１０は、取得した媒体設定コードに基づいて、カスタムメディア記憶部１６から対応する媒体設定コードが付与されているカスタムメディアを検索する（Ｓ２０２）。
【００８５】
対応するカスタムメディアが検索されると、制御部１０は、当該カスタムメディアとして登録されている各印刷プロセスの設定値の組み合わせを印刷部１４に通知し（Ｓ２０３）、印刷部１４は、各印刷プロセスの設定値の組み合わせを設定する（Ｓ２０４）。そして、外部装置等からのデータが受信されて、印刷実行が指示されると、印刷部１４は印刷を実行する（Ｓ２０５）。
【００８６】
（Ａ−３）実施形態の効果
以上のように、この実施形態によれば、特殊媒体を用いて印刷する場合でも、各印刷プロセスのパラメータを指定範囲内で変更させたテスト印刷パターンを一括して連続印刷することができるため、ユーザの作業時間の短縮化及び作業の手間を省くことができる。
【００８７】
また、この実施形態によれば、テスト印刷パターンに媒体設定コード又は媒体設定コードを含むバーコードを付与するため、テスト印刷後に、媒体設定コード又はバーコードを選択することにより、簡単にカスタムメディアを登録できるようになる。
【００８８】
（Ｂ）他の実施形態
上述した実施形態においても種々の変形実施形態を言及したが、本発明は、以下の変形実施にも広く適用することができる。
【００８９】
（Ｂ−１）上述した実施形態では、テスト印刷する際に、図２に例示するように、ラベル毎にテスト印刷パターンを連続印刷する場合を例示した。
【００９０】
しかし、テスト印刷は、連続紙に対して連続印刷することができればよく、例えば図６に例示するように、制御部は、所定の間隔を空けて、テスト印刷パターンを連続印刷するようにしても良い。
【００９１】
例えば、定着温度を変更する場合、定着温度が上がるまで又は下がるまでに時間を要する場合が生じ得る。その場合でも、テスト印刷パターンを連続印刷するようなときには、制御部は、図６に例示するように、定着温度が所定値となるまで、所定の間隔を空けて、テスト印刷パターンを連続印刷できる。
【００９２】
また例えば、定着温度が上がるまで又は下がるまで、制御部は、テスト印刷パターンの印刷を一時的に停止させ、図２に例示するように、連続するラベルにテスト印刷パターンを印刷するようにしても良い。
【００９３】
（Ｂ−２）上述した実施形態では、テスト印刷パターンとして、文字や画像等の印刷品位確認用データ、設定値の組み合わせ情報、媒体設定コード及び又はバーコードを印刷する場合を例示したが、テスト印刷パターンはこれらの情報に限定されるものではない。
【００９４】
例えば、画像形成装置が、温度及び又は湿度を感知する環境センサを備え、テスト印刷時の温度及び又は湿度等の環境情報をテスト印刷パターンに含ませるようにしても良い。また、テスト印刷をしたときの日時情報等をテスト印刷パターンに含めるようにしても良い。
【００９５】
（Ｂ−３）上述した実施形態では、テスト印刷するときの設定範囲の指定やコマンド入力等を画像形成装置の操作パネルからユーザが入力する場合を例示した。しかし、それに限定されるものではなく、例えば、画像形成装置とユニバーサルシリアルバスやセントロニクスやネットワークなどのインターフェースに接続されたパーソナルコンピュータ等の外部装置から設定範囲を入力し、外部装置から画像形成装置にコマンドなどによりテスト印刷を指示する場合についても適用できる。
【００９６】
（Ｂ−４）上述した実施形態では、媒体設定コードの入力を画像形成装置の操作パネルを使用して入力する場合を例示した。しかし、それに限定されるものではなく、画像形成装置とユニバーサルシリアルバスやセントロニクスやネットワークなどのインターフェースに接続されたパーソナルコンピュータ等の外部装置から入力する場合についても適用できる。
【００９７】
この場合、媒体設置コードを画像形成装置に設定してから印刷データを送るだけでなく、印刷データ中に媒体設定コードを含めておき、印刷データ中に媒体設定コードが含まれているときに、その媒体設定コードに基づき媒体の設定を行って、当該印刷データの印刷を行っても良い。
【００９８】
（Ｂ−５）上述した実施形態では、媒体設定コードを使用してカスタムメディアを設定する場合を例示した。しかし、それに限定されるものではなく、テスト印刷パターンに付与されたバーコードを使用したり、光学読取装置を使用して媒体設定コードを読み出したりして、カスタムメディアを登録するようにしても良い。
【００９９】
（Ｂ−６）上述した実施形態では、印刷媒体としてラベル紙を使用した場合を例示したが、それに限らず印刷可能な媒体に広く適用することができる。
【符号の説明】
【０１００】
１…画像形成装置、１０…制御部、１１…受信部、１２…コマンド解析部、１３…印刷データ作成部、１４…印刷部、１５…テストデータ作成部、１６…カスタムメディア記憶部、１７…操作パネル、１８…コードリーダ。
【図１】
2016085367.tif 000003
【図２】
2016085367.tif 000004
【図３】
2016085367.tif 000005
【図４】
2016085367.tif 000006
【図５】
2016085367.tif 000007
【図６】
2016085367.tif 000008
【図７】
2016085367.tif 000009